(57)【特許請求の範囲】
【請求項１】
コネクタが配置された基板と側面に開口部が形成されたシャーシを備え、前記基板を、前記コネクタが配置された側を前記シャーシの側面に対して傾けながら当該側面に向けて導入し、前記コネクタの外部との接続に供せられる端部を前記開口部に挿通させることにより、当該端部が前記開口部から外部に露出した状態で前記シャーシ内に組み付けられる基板組み付け構造において、
前記コネクタを覆うように設けたコネクタホルダと、
前記コネクタホルダに形成され、前記基板の前記コネクタが配置された側に実装された電子部品より当該基板の端面に近い位置にあり、かつ当該基板の実装面からの高さが前記電子部品よりも高い当たり形状部とを備えることを特徴とする基板組み付け構造。
【請求項２】
請求項１記載の基板組み付け構造を備える電子機器。
【発明の詳細な説明】
【技術分野】
【０００１】
この発明は、基板をシャーシ内に組み付ける基板組み付け構造およびこの構造を備える電子機器に関する。
【背景技術】
【０００２】
基板をシャーシ内に組み付ける際に、シャーシの外部に露出させる必要のあるコネクタが基板上に配置されている場合、下記のように組み付けられることがある。
先ず、基板を、コネクタが配置された側をシャーシの側面に対して傾けながら当該側面に向けて導入し、コネクタの外部との接続に供せられる端部を当該側面に設けた開口部に挿通させることによって、コネクタの端部が開口部から外部に露出した状態でシャーシ内に組み付けられる。なお、このように、基板を傾けながら所定部位に近づけて組み付ける従来の技術としては、例えば特許文献１に開示される電気接続構造がある。
【先行技術文献】
【特許文献】
【０００３】
【特許文献１】特開２００９−１８２１９０号公報
【発明の概要】
【発明が解決しようとする課題】
【０００４】
従来では、基板の実装面からの高さがコネクタより高い電子部品が当該コネクタの周辺に実装されていると、基板を傾けながらシャーシ内の上記側面に向けて導入するときに、当該側面に上記電子部品が接触して破損する可能性があるという課題があった。
例えば、特許文献１の電気接続構造においても基板の端辺部に背の高い電子部品が実装されていると、基板を傾けながら所定部位に近づけた際に、当該部品が組み付け側の壁面に接触する可能性がある。【０００５】
この発明は、上記のような課題を解決するためになされたもので、組み付け時に基板上の電子部品がシャーシ側の面に接触することを防止できる基板組み付け構造およびこの構造を備える電子機器を得ることを目的とする。
【課題を解決するための手段】
【０００６】
この発明に係る基板組み付け構造は、コネクタが配置された基板と側面に開口部が形成されたシャーシを備え、基板を、コネクタが配置された側をシャーシの側面に対して傾けながら当該側面に向けて導入し、コネクタの外部との接続に供せられる端部を開口部に挿通させることにより、当該端部が開口部から外部に露出した状態でシャーシ内に組み付けられる基板組み付け構造において、コネクタを覆うように設けたコネクタホルダと、コネクタホルダに形成され、基板のコネクタが配置された側に実装された電子部品より当該基板の端面に近い位置にあり、かつ当該基板の実装面からの高さが電子部品よりも高い当たり形状部とを備える。
【発明の効果】
【０００７】
この発明によれば、組み付け時に基板上の電子部品がシャーシ側の面に接触することを防止できるという効果がある。
【図面の簡単な説明】
【０００８】
【図１】この発明に係る基板組み付け構造を備える電子機器を示す斜視図である。
【図２】基板組み付け構造を備える電子機器の分解斜視図である。
【図３】従来の基板組み付け構造を示す図である。
【図４】従来の基板組み付け構造で電子部品がシャーシに衝突する態様を説明する図である。
【図５】この発明の実施の形態１に係る基板組み付け構造を示す図である。
【図６】実施の形態１に係る基板組み付け構造における当たり部の機能を説明する図である。
【図７】実施の形態１に係る基板組み付け構造のコネクタカバーの取り付け態様を示す図である。
【発明を実施するための形態】
【０００９】
以下、この発明をより詳細に説明するため、この発明を実施するための形態について、添付の図面に従って説明する。
実施の形態１．
図１は、この発明に係る基板組み付け構造を備える電子機器を示す斜視図である。図１に示す電子機器１は、この発明に係る基板組み付け構造を内部に有する電子機器であり、シャーシ３の天面を覆うカバー２、少なくとも２面（天面、前面など）が開口した箱状のシャーシ３およびシャーシ３の前面に設けられたパネル４を備える。その内部構成としては、図２に示すように、パネル４が裏面（シャーシ３の内部側の面）にパネル基板４ａを備えており、フロントシャーシ６を介してシャーシ３の前面に組み付けられる。
【００１０】
また、シャーシ３の後面３Ａには、図２に示すように開口部３ａが形成されており、基板５は、当該基板５上に配置されたコネクタ７の外部との接続に供せられる側の端部が、シャーシ３の開口部３ａから外部に露出するようにシャーシ３内に組み付けられる。
コネクタ７は、基板５の実装面の端部に配置されて、当該コネクタ７の外部との接続に供せられる側の端部を除く部分（シャーシ３の内部側に露出する部分）がコネクタホルダ７ａによって覆われている。
【００１１】
なお、電子機器１では、基板５を、図３（ａ）に矢印で示すように、コネクタ７を配置した側をシャーシ３の後面３Ａに対して傾けながら当該後面３Ａに向けて導入し、コネクタ７の外部との接続に供せられる端部を開口部３ａに挿通させることにより、コネクタ７の上記端部が開口部３ａから外部に露出した状態でシャーシ３内に組み付けられる。
このとき、コネクタ７を配置した端部側に実装される電子部品８の高さ（基板５の実装面からの高さ）が、コネクタホルダ７ａを含むコネクタ７よりも高い場合、図３（ｂ）に示すように、電子部品８が後面３Ａに接触して破損する可能性がある。
【００１２】
つまり、図４に示すように、コネクタ７の外部との接続に供せられる側の端部を、シャーシ３の後面３Ａに形成した開口部３ａに挿通させるときに、基板５が、コネクタ７側が下がるように傾いているため、コネクタ７より高い電子部品８が、シャーシ３の後面３Ａに接触する。この場合、基板５をシャーシ３の後面３Ａに向けて無理に導入すると、当該接触により電子部品８が傾いて基板５との接合部が破損する恐れがある。
【００１３】
そこで、この発明では、図５（ａ）に示すように、従来のコネクタホルダ７ａの代わりにコネクタホルダ７Ａを使用する。コネクタホルダ７Ａは、図５（ｂ）（符号Ａを付した部分の拡大図）に示すように、コネクタ７の外部との接続に供せられる側の端部と同じ側の上部、すなわち基板５をシャーシ３内に組み付けたときに後面３Ａ側を向く上部に、電子部品８よりも基板５の端部に近い位置にあり、かつ基板５の実装面からの高さが電子部品８よりも高くなるように形成した当たり形状部９を備える。
【００１４】
コネクタ７の外部との接続に供せられる側の端部が開口部３ａから外部に露出するように当該基板５をシャーシ３内に組み付けるときに、従来と同様に、コネクタ７側が下がるように傾けながらシャーシ３内の後面３Ａに向けて基板５を導入していくと、この発明では、図６に示すように、電子部品８よりも先に当たり形状部９がシャーシ３の後面３Ａに接触する。これにより、電子部品８がシャーシ３の後面３Ａに直接接触することがなく、破損を防止できる。なお、図５（ａ）のように、１枚の板材を折り曲げてコネクタホルダ７Ａを形成することで、この発明に係る基板組み付け構造を簡易な構成で実現することができる。
【００１５】
また、図７（ａ）、図７（ｂ）（符号Ｂを付した部分の拡大図）に示すように、コネクタホルダ７Ａの実装面側の端部には、係合凸部１０ａ，１０ｂと、孔部１２が形成された取り付け板部１１が設けられる。また、基板５には、実装されたコネクタ７の周囲に孔部１３ａ，１３ｂ，１４ａが形成されている。コネクタホルダ７Ａの取り付けは、まず、基板５の孔部１３ａ，１３ｂに係合凸部１０ａ，１０ｂを挿入して位置決めを行い、ねじを孔部１２および孔部１４ａに挿通させてねじ止めする。
【００１６】
以上のように、この実施の形態１によれば、コネクタ７を覆うように設けたコネクタホルダ７Ａと、コネクタホルダ７Ａに形成され、基板５のコネクタ７が配置された側に実装された電子部品８より当該基板５の端面に近い位置にあり、かつ当該基板５の実装面からの高さが電子部品８よりも高い当たり形状部９とを備える。このように構成することで、組み付け時に基板５上の電子部品８がシャーシ３側の面に接触することを防止できる。
【００１７】
また、この実施の形態１によれば、電子機器１が、上記の基板組み付け構造を備えるので、上記と同様の効果が得られる電子機器１を提供することができる。
【００１８】
なお、本発明はその発明の範囲内において、実施の形態の任意の構成要素の変形、もしくは実施の形態の任意の構成要素の省略が可能である。
【産業上の利用可能性】
【００１９】
この発明に係る基板組み付け構造は、組み付け時に基板上の電子部品がシャーシ側の面に衝突することを防止できるので、小型化により組み付け時にシャーシの側面と基板の端部との距離が近くなる可能性がある車載用の電子機器に好適である。
【符号の説明】
【００２０】
１  電子機器、２  カバー、３  シャーシ、３ａ  開口部、３Ａ  後面、４  パネル、４ａ  パネル基板、５  基板、６  フロントシャーシ、７  コネクタ、７ａ，７Ａ  コネクタホルダ、８  電子部品、９  当たり形状部、１０ａ，１０ｂ  係合凸部、１１  取り付け板部、１２，１３ａ，１３ｂ，１４ａ  孔部。
【図１】
0005452786.tif 000002
【図２】
0005452786.tif 000003
【図３】
0005452786.tif 000004
【図４】
0005452786.tif 000005
【図５】
0005452786.tif 000006
【図６】
0005452786.tif 000007
【図７】
0005452786.tif 000008